(57)【特許請求の範囲】
【請求項１】
枠体内に配置された複数の障子を幅方向にスライドさせて開口部を開閉する引き形式のサッシ窓に用いられる、室内側障子の内召合せ框内に収容された錠本体の掛け具を、室内側から操作部材により操作して前記内召合せ框の室外側面から出没させ、室外側障子の外召合せ框内の受け具に係合させて施錠する框内蔵型施錠装置であって、
前記内召合せ框の室外側面から室外側へ突出する突出片と、
前記外召合せ框内の室内側に位置して幅方向に移動可能に支持され、前記障子を閉じる際に前記突出片が当接する当接面を有するとともに、前記受け具を支持する支持部材と、
該支持部材を前記外召合せ框に対して前記内召合せ框に向かう幅方向に付勢する弾性付勢手段とを備え、
前記突出片が前記当接面に当接した状態で前記掛け具に対して前記受け具が位置決めされることを特徴とする框内蔵型施錠装置。
【請求項２】
請求項１記載の框内蔵型施錠装置を備えたサッシ窓。
【請求項３】
前記障子を閉じた状態で、前記外召合せ框に前記支持部材を固定する取付ねじを前記内召合せ框の室内側から操作するための奥行き方向の通孔を前記内召合せ框に形成してなる請求項２記載のサッシ窓。
【発明の詳細な説明】
【技術分野】
【０００１】
本発明は、内召合せ框内に収容された錠本体の掛け具を外召合せ框内の受け具に係合させて施錠する框内蔵型施錠装置及び該施錠装置を備えたサッシ窓に関わり、更に詳しくは、前記掛け具に対する前記受け具の位置調整機構に関するものである。
【背景技術】
【０００２】
引違い、片引き又は両引き（引分け）の引き形式のサッシ窓の内召合せ框内に収容された錠本体の掛け具を、操作部材により操作して内召合せ框の室外側面から出没させ、外召合せ框内の受け具に係合させて施錠する框内蔵型施錠装置がある（例えば、特許文献１及び２参照。）。
このような框内蔵型施錠装置は、施錠装置の位置を外部から視認することができないこと等から防犯性に優れている反面、掛け具に対して受け具の位置を調整しにくいという問題があり、このような調整を行うための機構として、外召合せ框の側面（見込み面）に設けた蓋を取り外し、前記側面に形成した操作窓からドライバー等を挿入して調整ネジを操作することにより、可動部材に支持された受け具の位置調整を行うようにしたものがある（特許文献３参照。）。
【０００３】
【特許文献１】特開２００６−１１８１３３号公報（図１、図５ａ、図５ｂ、図７）
【特許文献２】特開２００６−１１８１３５号公報（図１、図３−４）
【特許文献３】特開２００６−１１８１３４号公報（図５−７）
【発明の開示】
【発明が解決しようとする課題】
【０００４】
特許文献３のような框内蔵型施錠装置の掛け具に対する受け具の位置調整機構は、外召合せ框の側面に形成した操作窓から工具により調整ネジを操作する微調整を繰り返しながら、掛け具に対して受け具の位置を調整する作業を行う構成であるため、受け具の位置調整作業に手間が掛かる。
また、このような框内蔵型施錠装置を備えたサッシ窓は、錠本体が内召合せ框に内蔵されているとともに、内召合せ框の室外側面から出没する掛け具を外召合せ框の室内側に露出する受け具に係合することにより施錠されることから、防犯性が非常に高い構成でありながら、その受け具の位置調整を外召合せ框の側面に形成した操作窓から行うため、このような受け具の位置調整機構を備えることにより防犯性が低下している。
【０００５】
そこで本発明が前述の状況に鑑み、解決しようとするところは、受け具の位置調整を容易に行うことができ、該位置調整を行うために防犯性が低下することがない框内蔵型施錠装置及び該施錠装置を備えたサッシ窓を提供する点にある。
【課題を解決するための手段】
【０００６】
本発明に係る框内蔵型施錠装置は、前記課題解決のために、枠体内に配置された複数の障子を幅方向にスライドさせて開口部を開閉する引き形式のサッシ窓に用いられる、室内側障子の内召合せ框内に収容された錠本体の掛け具を、室内側から操作部材により操作して前記内召合せ框の室外側面から出没させ、室外側障子の外召合せ框内の受け具に係合させて施錠する框内蔵型施錠装置であって、前記内召合せ框の室外側面から室外側へ突出する突出片と、前記外召合せ框内の室内側に位置して幅方向に移動可能に支持され、前記障子を閉じる際に前記突出片が当接する当接面を有するとともに、前記受け具を支持する支持部材と、該支持部材を前記外召合せ框に対して前記内召合せ框に向かう幅方向に付勢する弾性付勢手段とを備え、前記突出片が前記当接面に当接した状態で前記掛け具に対して前記受け具が位置決めされるものである。
【０００７】
また、本発明に係るサッシ窓は、前記課題解決のために、前記框内蔵型施錠装置を備えたものである。
【０００８】
ここで、前記障子を閉じた状態で、前記外召合せ框に前記支持部材を固定する取付ねじを前記内召合せ框の室内側から操作するための奥行き方向の通孔を前記内召合せ框に形成してなると好ましい。
【発明の効果】
【０００９】
本発明に係る框内蔵型施錠装置及び該施錠装置を備えたサッシ窓によれば、内召合せ框の室外側面から室外側へ突出する突出片と、外召合せ框内の室内側に位置して幅方向に移動可能に支持され、障子を閉じる際に前記突出片が当接する当接面を有するとともに、受け具を支持する支持部材と、該支持部材を前記外召合せ框に対して前記内召合せ框に向かう幅方向に付勢する弾性付勢手段とを備え、前記突出片が前記当接面に当接した状態で前記掛け具に対して前記受け具が位置決めされるので、外召合せ框に対して幅方向に移動可能に支持されるとともに弾性付勢手段により内召合せ框に向かう幅方向に付勢された支持部材の当接面に対して、障子を閉じる際に内召合せ框の室外側面から室外側へ突出する突出片が当接して押圧することにより、支持部材が外召合せ框に対して弾性付勢手段の付勢力に抗して移動し、障子を閉じた状態では自動的に掛け具に対して受け具の幅方向の位置決めがされた状態となるため、工具により調整ネジを操作する微調整を繰り返し行う作業が不要になる。
よって、特に施工時において手間が掛かっている受け具の位置調整作業を無くすことができる。
その上、受け具の支持部材が弾性支持されているため、掛け具を受け具に係合させる際の摺動音、摩耗及び焼付きを抑制することができる。
【００１０】
また、前記障子を閉じた状態で、前記外召合せ框に前記支持部材を固定する取付ねじを前記内召合せ框の室内側から操作するための奥行き方向の通孔を前記内召合せ框に形成してなると、前記効果に加え、取付ねじにより支持部材を外召合せ框に仮止めして該支持部材が外召合せ框に対して幅方向に移動可能な状態を保持しておき、障子を閉じて掛け具に対して受け具の幅方向の位置決めがされた状態において、内召合せ框の室内側から奥行き方向の通孔を通して工具により取付ねじを操作して支持部材を外召合せ框に容易に固定することができる。
よって、障子を閉じた際に掛け具に対して受け具の幅方向の位置決めが自動的にされた状態を保持しながら、支持部材を外召合せ框に強固に固定して防犯性を向上することができるとともに、受け具の位置調整用の操作窓を外召合せ框の側面に形成しておく必要がないため、受け具の位置調整機構のために防犯性が低下することがない。
【発明を実施するための最良の形態】
【００１１】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、室内側（図中ＩＤ参照。）から室外側（図中ＯＤ参照。）へ向かう方向の前側を前、後側を後とし、左右は前方に向かっていうものとし、室内側から見た図を正面図とする。
ここで、本発明に係る框内蔵型施錠装置が使用される引き形式のサッシ窓としては、例えば引違い、片引き又は両引き（引分け）の引き形式のサッシ等が挙げられるが、以下においては、引き形式のサッシ窓の例として、引き違いサッシについて説明する。
【００１２】
図１は本発明の実施の形態に係る框内蔵型施錠装置１０を引き違いサッシ１に取り付けた状態を示す斜視図、図２〜図５は框内蔵型施錠装置１０の構成説明図であり、図２（ａ）は内召合せ框５及び外召し合せ框６を室内側ＩＤから見た状態を示す要部拡大斜視図、図２（ｂ）は内召合せ框５を室外側ＯＤから見た状態を示す要部拡大斜視図、図３は框内蔵型施錠装置１０単体の外観を示す斜視図、図４及び図５は錠本体１１の歯車伝達機構等の構成を示す左方から見た図であり、図４は掛け具２１が受け具２２に係合していない状態を、図５は掛け具２１が受け具２２に係合している状態を示している。
【００１３】
図１に示すように、引き違いサッシ１は、枠体２内に配置された引き違い可能な室内側障子３及び室外側障子４を左右方向（幅方向、見付け方向）にスライドさせて開口部を開閉するものであり、室内側障子３の内召合せ框５内及び室外側障子４の外召合せ框６内に框内蔵型施錠装置１０の主要部品が収容されており、操作部材７を操作することにより施解錠を行うことができる。
すなわち、図１及び図２に示すように、ロック（ストッパ）９を押して操作部材７を操作可能とし、障子３，４を閉じて後述するトリガー解除状態とし、内召合せ框５の室内側面５Ａに沿って上下方向にスライドする操作部材７をスライド移動させることにより、詳細は後述する錠本体１１の歯車伝達機構を介して、掛け具２１が内召合せ框５の室外側面５Ｂから出没し、外召合せ框６内の受け具２２に係合して施錠又は該係合を解除して解錠される。
【００１４】
次に、内召合せ框５内に収容される框内蔵型施錠装置１０の錠本体１１内の構成について説明する。
図３〜図５に示すように、錠本体１１のケース１２Ａ及びその蓋体１２Ｂ内の後側（室内側ＩＤ）には、上下方向に延び、前側に歯が形成されたラック１３が位置しており、該ラック１３には、その前側に位置する、左右方向の支軸Ｓ３により軸支されたガイド用平歯車１５及び左右方向の支軸Ｓ１により軸支された大径平歯車１４Ａが噛合するとともに、その後面に、ケース１２Ａの室内側立起片１２Ｅが当接するため、ラック１３は上下方向にスライド移動可能に支持される。
【００１５】
ガイド用平歯車１５の下側には、前後方向（奥行き方向、見込み方向）に延びるトリガー１６が、その被カイド凹部１６Ａ内にケース１２Ａに突設されたガイド凸部１２Ｃが入り、これらが摺動するため、前後方向に移動可能に支持されており、上側に突設されたばね受け部１６Ｂの後面を、ケース１２Ａから切り起こして一体に形成された切り起こし片により後端が支持された圧縮コイルばね１７が前方へ付勢している。
また、トリガー１６の後部には、その上面に円弧状凹部１６Ｃが形成され、その後端部上面には水平な係止面１６Ｄが形成されており、ガイド用平歯車１５の右側のボス部には、その周面をカットした形状に形成された被係止面１５Ａが形成されている。
【００１６】
したがって、障子３，４（図１参照。）が開いた状態に相当する、トリガー１６が図４の位置では、圧縮コイルばね１７により前方へ付勢されたトリガー１６が内召合せ框５の室外側面５Ｂから室外側へ突出しており、ガイド用平歯車１５の被係止面１５Ａにトリガー１６の係止面１６Ｄが当接してガイド用平歯車１５が係止され、ガイド用平歯車１５の時計回りの回動が規制されるため、ラック１３を下方へ移動させることができない（以下において、「トリガー作動状態」という。）。
これに対して、障子３，４（図１参照。）を閉じると、外召合せ框６がトリガー１６の斜面に当接してトリガー１６を後方へ移動させるため（例えば図５の状態参照。）、ガイド用平歯車１５の被係止面１５Ａにトリガー１６の係止面１６Ｄが当接しなくなり、ガイド用平歯車１５の右側のボス部の下側にはトリガー１６の円弧状凹部１６Ｃが位置するため、ガイド用平歯車１５の回動が規制されなくなる（以下において、「トリガー解除状態」という。）。
【００１７】
よって、前記トリガー作動状態では、ラック１３を下方へ移動させることができないことから、障子３，４が開いた状態において、後述する掛け具２１を内召合せ框５から突出させた状態とする誤操作等を行い、この状態で障子を閉じて掛け具２１等が破損することを無くすことができ、障子３，４を閉じた状態においてのみ、前記トリガー解除状態となった状態で掛け具２１を受け具２２に係合して施錠する操作又は該係合を解除して解錠する操作を行うことができる。
【００１８】
ここで、図３〜図５に示すように、ラック１３には操作部材７が連結される連結板２０が固定されているため、前記トリガー解除状態で操作部材７を上下方向にスライド移動させることにより、ラック１３は操作部材７とともに上下方向にスライド移動する。
また、左右方向の支軸Ｓ１により、大径平歯車１４Ａの右側に、大径平歯車１４Ａと同軸に小径平歯車１４Ｂも軸支されており、大径平歯車１４Ａ及び小径平歯車１４Ｂは一体となって回転する。
この小径歯車１４Ｂには、左右方向の支軸Ｓ２により軸支された掛け具２１の円弧状係合板２１Ａと支軸Ｓ２を挟んで反対側に一体形成された歯車部２１Ｂが噛合する。
したがって、前記トリガー解除状態で操作部材７を下方へスライドさせると（図４中の矢印Ｂ参照。）、連結部材２０を介してラック１３が下方へ移動し、大径平歯車１４Ａとともに小径平歯車１４Ｂが回動するため、小径平歯車１４Ｂに噛合する歯車部２１Ｂとともに掛け具２１は受け具２２に係合する位置（図５参照。）まで回動する。
【００１９】
また、前記トリガー解除状態で操作部材７を上方へスライドさせると（図５中の矢印Ｃ参照。）、連結部材２０を介してラック１３が上方へ移動し、上述の動作と逆方向に大径平歯車１４、小径平歯車１４Ｂ、歯車部２１Ｂが回動するため、掛け具２１は受け具２２との係合が解除される位置（図４参照。）まで回動する。
なお、掛け具２１の側面に突設されたばね掛け２１Ｃ及び蓋体１２Ｂの内面に突設されたばね掛け１２Ｄに引張コイルばね３２の端末３２Ａ，３２Ｂが掛止されるため、引張コイルばね３２の付勢力が、掛け具２１を受け具２２に係合させる施錠時の途中から施錠方向に作用し、前記係合を解除する解錠時の途中から解錠方向に作用するため、軽い操作で施解錠を確実に行うことができる。
【００２０】
さらに、ラック１３の歯の右側の段部前面には、その上下に係合凹部１３Ａ，１３Ｂが形成されており、一端末１８Ａがピン１９Ａにより当止され、そのコイル内にピン１９Ｂが挿通されたキックばね１８の円弧状に形成した他端末１８Ｂが、弾性変形した状態でラック１３の前記段部前面に当接している。
そして、ラック１３の上下方向に移動するストロークの上端（図４参照。）でキックばね１８の端末１８Ｂがラック１３の下係合凹部１３Ｂに係合し、前記ストロークの下端（図５参照。）でキックばね１８の端末１８Ｂがラック１３の上係合凹部１３Ａに係合するため、前記ストロークの上下端でクリック感が得られて操作性が向上するとともに、自重によるラック１３の落下が防止される。
【００２１】
次に、受け具２２の位置調整機構の構成及びその動作について説明する。
図６及び図７は受け具２２の位置調整機構の動作説明図であり、図６は障子３，４が開いた状態を、図７は障子３，４を閉じる方向へ移動させて内召合せ框５側の突出片２３Ａ，２３Ａが外召合せ框６側の位置決め用の当接面２４Ｂに当接した状態を示している。
【００２２】
図２（ｂ）及び図３に示すように、錠本体１１の前面（室外側ＯＤの面）には上下に長い裏板２３が取り付けられ、該裏板２３にはその上下に前方へ突出する突出片２３Ａ，２３Ａが形成されている。
また、図２（ａ）、図３及び図６に示すように、外召合せ框６の室内側面６Ａには、上下方向に長く、その上下中間部分に係合片２２Ａを有する受け具２２が切り起こされ一体に形成された支持部材２４が、その上下端部の左右方向に長い長孔２８，２８に取付ねじ３０，３０を通され、外召合せ框６に対して左右方向に移動可能な状態で取り付けられており、支持部材２４の後側（室内側ＩＤ）には、取付板２５が、上下の段付ボルト２６，２６を支持部材２４の長孔２８，２８よりも上下方向の内側に位置する左右方向に長い長孔２７，２７に挿通した状態で外召合せ框６に固定される。
【００２３】
したがって、支持部材２４は、取付ねじ３０，３０が長孔２８，２８に沿って相対的に移動できる範囲、かつ、段付ボルト２６，２６が長孔２７，２７を沿って相対的に移動できる範囲で、外召合せ框６に対して左右方向に移動可能に支持される。
そして、取付板２５の上下方向中央の開口２５Ａから、支持部材２４により支持された（支持部材２４と一体に形成された）受け具２２が後方（室内側ＩＤ）へ突出しており、取付板２５の上下の開口２５Ｂ，２５Ｂから、支持部材２４の上下部分が切り起こされ一体に形成された上下のばね受け片２４Ｃ，２４Ｃも後方へ突出する。
また、支持部材２４のばね受け片２４Ｃ，２４Ｃと取付板２５の開口２５Ｂ，２５Ｂの右壁面から左方へ突出するばね受け部２５Ｃ，２５Ｃとの間に、弾性付勢手段である圧縮コイルばね２９，２９が弾性変形した状態で配設されるため、支持部材２４は、外召合せ框６（取付板２５）に対して左方（内召合せ框５に向かう幅方向）に付勢される。
さらに、支持部材２４の右方には上下方向に延びる立起片２４Ａが折り曲げ形成されており、その左面が、位置決め用の当接面２４Ｂとなる。
【００２４】
図６に示す障子３，４が開いた状態から、矢印Ａのように障子３，４を閉じる方向に移動させると（図１も参照。）、外召合せ框６に対して左右方向に移動可能に支持されるとともに圧縮コイルばね２９，２９により左方へ付勢された支持部材２４の当接面２４Ｂに対して、内召合せ框５の室外側面５Ｂから前方（室外側ＯＤ）へ突出する突出片２３Ａ，２３Ａが当接した図７に示す状態となり、掛け具２１に対して受け具２２の左右方向の位置決めがされた状態となる。
そして、さらに障子３，４を閉じると、支持部材２４が圧縮コイルばね２９，２９の付勢力に抗するように外召合せ框６に対して右方へ移動し、図１に示す障子３，４が閉じた状態（全閉状態）になっても、図７に示す当接面２４Ｂと突出片２３Ａ，２３Ａとが当接している状態が保持されるため、掛け具２１に対して受け具２２の左右方向の位置決めがされた状態が保持される。
【００２５】
以上のように、外召合せ框６に対して左右方向に移動可能に支持されるとともに圧縮コイルばね２９，２９により左方（内召合せ框５に向かう方向）に付勢された支持部材２４の当接面２４Ｂに対して、障子３，４を閉じる際に内召合せ框５の室外側面５Ｂから室外側へ突出する突出片２３Ａ，２３Ａが当接して押圧することにより、支持部材２４が外召合せ框６に対して圧縮コイルばね２９，２９の付勢力に抗して移動し、掛け具２１に対して受け具２２の左右方向の位置決めがされた状態が保持されたまま障子３，４を閉じた状態（全閉状態）となる。
したがって、障子３，４を閉じた状態では自動的に掛け具２１に対して受け具２２の左右方向の位置決めがされた状態となることから、工具により調整ネジを操作する微調整を繰り返し行う作業が不要になるため、特に施工時において手間が掛かっている受け具の位置調整作業を無くすことができる。
その上、受け具２２の支持部材２４が弾性支持されているため、掛け具２１（円弧状係合板２１Ａ）を受け具２２（係合片２２Ａ）に係合させる際の摺動音、摩耗及び焼付きを抑制することができる。
【００２６】
次に、上述のように自動位置決めがされた受け具２２を支持する支持部材２４を外召合せ框６に固定する固定手段について説明する。
図８は、障子３，４を閉じて受け具２２の幅方向の位置決めがされた状態において、支持部材２４を外召合せ框６に固定する作業を示しており、図８（ａ）は上側の取付ねじ３０を上側の奥行き方向の通孔３１Ａを通して室内側ＩＤから操作する例を、図８（ｂ）は下側の取付ねじ３０を下側の奥行き方向の通孔３１Ｂを通して室内側ＩＤから操作する例を示している。
【００２７】
上述のとおり、支持部材２４は取付ねじ３０，３０により外召合せ框６に対して左右方向に移動可能な状態で取り付けられているが、この状態が仮止め状態とし、さらに取付ねじ３０，３０を締付け方向に回転可能としておけば、障子３，４を閉じて掛け具２１に対して受け具２２の左右方向の位置決めがされた状態において、取付ねじ３０，３０を締め付けることにより、前記位置決めがされた状態のまま支持部材２４を外召合せ框６に容易に固定することができる。
このような固定手段により、障子３，４を閉じた状態で取付ねじ３０，３０を締め付けるための構成として、図２（ｂ）及び図８に示すように、障子３，４を閉じた状態で、外召合せ框６に支持部材２４を固定する取付ねじ３０，３０を、内召合せ框５の室内側ＩＤから操作するための奥行き方向の上下の通孔３１Ａ，３１Ｂを内召合せ框５に形成している。
【００２８】
したがって、図８（ａ）に示す、障子３，４を閉じて掛け具２１に対して受け具２２の左右方向の位置決めがされた状態（この状態では前述のトリガー解除状態となっている。）で、ロック９を押して操作部材７を操作可能として該操作部材７を下方へスライドさせ、掛け具２１を受け具２２に係合させた状態で、操作部材７の上カバー８Ａ（例えば、図２（ａ）参照。）を外し、上側の通孔３１Ａを通して例えばドライバーである工具Ｔにより上側の取付ねじ３０を操作して締め付けることができる。
また、同様に、図８（ｂ）に示すように、操作部材７を上方へスライドさせ、操作部材７の下カバー８Ｂ（例えば、図２（ａ）参照。）を外した状態で、下側の通孔３１Ｂを通して例えばドライバーである工具Ｔにより下側の取付ねじ３０を操作して締め付けることができる。
【００２９】
以上のような前記固定手段の構成によれば、取付ねじ３０，３０により支持部材２４を外召合せ框６に仮止めして支持部材２４が外召合せ框６に対して左右方向に移動可能な状態を保持しておき、障子３，４を閉じて掛け具２１に対して受け具２２の左右方向の位置決めがされた状態において、内召合せ框５の室内側ＩＤから奥行き方向の通孔３１Ａ，３１Ｂを通して工具Ｔにより取付ねじ３０，３０を操作して支持部材２４を外召合せ框６に容易に固定することができる。
よって、障子３，４を閉じた際に掛け具２１に対して受け具２２の左右方向の位置決めが自動的にされた状態を保持しながら、支持部材２４を外召合せ框６に強固に固定して防犯性を向上することができるとともに、受け具２２の位置調整用の操作窓を外召合せ框の側面に形成しておく必要がないため、受け具２２の位置調整機構のために防犯性が低下することがない。
【００３０】
なお、自動位置決めがされた受け具２２を支持する支持部材２４を外召合せ框６に固定するために、内召合せ框５に奥行き方向の通孔３１Ａ，３１Ｂを形成しておく構成でなくても、例えば、支持部材２４が弾性付勢手段（圧縮コイルばね２９，２９）に抗して移動して位置決めされた位置で、その位置が保持される程度に取付ねじを仮締めして支持部材２４を外召合せ框６に取り付けておき、障子３，４を閉じて掛け具２１に対して受け具２２の左右方向の位置決めがされた状態とした後、障子３，４を開いて外召合せ框６の室内側面６Ａを露出させた状態として前記仮締めした取付ねじを増し締めすることにより、支持部材２４を外召合せ框６に固定するようにしてもよい。
【図面の簡単な説明】
【００３１】
【図１】本発明の実施の形態に係る框内蔵型施錠装置を引き違いサッシに取り付けた状態を示す斜視図である。
【図２】框内蔵型施錠装置の構成説明図であり、（ａ）は内召合せ框及び外召し合せ框を室内側から見た状態を示す要部拡大斜視図、（ｂ）は内召合せ框を室外側から見た状態を示す要部拡大斜視図である。
【図３】框内蔵型施錠装置単体の外観を示す斜視図である。
【図４】錠本体の歯車伝達機構等の構成を示す左方から見た図であり、掛け具が受け具に係合してない状態を示している。
【図５】同図であり、掛け具が受け具に係合している状態を示している。
【図６】受け具の位置調整機構の動作説明図であり、障子が開いた状態を示している。
【図７】同図であり、障子が閉じた状態を示している。
【図８】障子を閉じて受け具の幅方向の位置決めがされた状態において、支持部材を外召合せ框に固定する作業を示しており、（ａ）は上側の取付ねじを上側の奥行き方向の通孔を通して室内側から操作する例を、（ｂ）は下側の取付ねじを下側の奥行き方向の通孔を通して室内側から操作する例を示している。
【符号の説明】
【００３２】
ＩＤ  室内側
ＯＤ  室外側
１  引き違いサッシ（引き形式のサッシ窓）
２  枠体
３  室内側障子
４  室外側障子
５  内召合せ框
５Ａ  室内側面
５Ｂ  室外側面
６  外召合せ框
６Ａ  室内側面
７  操作部材
１０  框内蔵型施錠装置
１１  錠本体
１３  ラック
１４Ａ  大径平歯車
１４Ｂ  小径平歯車
２０  連結板
２１  掛け具
２１Ａ  円弧状係合板
２１Ｂ  歯車部
２２  受け具
２２Ａ  係合片
２３Ａ  突出片
２４  支持部材
２４Ｂ  当接面
２４Ｃ  ばね受け片
２５  取付板
２５Ｃ  ばね受け部
２７，２８  長孔
２９  圧縮コイルばね（弾性付勢手段）
３０  取付ねじ
３１Ａ，３１Ｂ  通孔
【図１】
0005071258.tif 000002
【図２】
0005071258.tif 000003
【図３】
0005071258.tif 000004
【図４】
0005071258.tif 000005
【図５】
0005071258.tif 000006
【図６】
0005071258.tif 000007
【図７】
0005071258.tif 000008
【図８】
0005071258.tif 000009